(57)【特許請求の範囲】
【請求項１】
非接触方式でデータを送信するアンテナに接続されたＩＣチップを有する非接触式ＩＣ包装用具であって、前記アンテナが、物品を包み込んで包装するための包装用紙の包装用基材の表面に、導伝性インクにより印刷されて配線されて、前記ＩＣチップが、粘着層を有する貼付用ラベルにより挟み込まれて前記包装用基材の一部に添付され、前記アンテナの端子と、前記ＩＣチップの端子とで接続されていることを特徴とする非接触式ＩＣ包装用具。
【発明の詳細な説明】
【０００１】
【発明の属する技術分野】
本発明は、包装された物品の包装が一時的に不正に開けられた場合でも、簡単に開けられたか否かを確認することができ、更に不正使用防止のために再使用することができないようにした非接触式ＩＣ包装用具に関するものである。
【０００２】
従来より、種々の商品の偽物が市場に出回っているが、これらの偽物の商品は、一般の人が見ただけでは本物との見分けができないくらいに本物とそっくりに作られている場合があり、商品を仕入れて一般の消費者に販売する販売店においても、商品を仕入れる際に仕入先から偽物を本物と騙されて仕入れ、店頭で販売してしまう危険性がある。
【０００３】
そこで、商品の流通過程において、商品が本物であることを確認できるように、本物を証明するデータを情報記憶部に記憶させた非接触式ＩＣタグを商品に添付させ、商品取引きの際などにデータ読取装置でＩＣの情報記憶部に記憶させたＩＤデータ等の照合用データを読み取ることで、随時商品の真偽を確認するやり方も考えられる。
しかしながら、このやり方では、本物の商品を購入した者から不正を行う者が非接触式ＩＣタグを入手して、偽物に非接触式ＩＣタグを添付することで簡単に本物と識別しにくい偽物を作製することができてしまう危険性がある。
【０００４】
【発明が解決しようとする課題】
本発明の非接触式ＩＣ包装用具は、包装された物品の包装が一時的に不正に開けられた場合でも、簡単に包装が開けられたことを確認することができ、更に一度使用された包装用紙や包装用箱等の包装用具を他の物品の包装に転用するなどして、不正に偽物等に再使用しようとしても容易に転用することができない非接触式ＩＣ包装用具を提供する。
【０００５】
【課題を解決するための手段】
本発明の非接触式ＩＣ包装用具は、非接触方式でデータを送信するアンテナに接続されたＩＣチップを有する非接触式ＩＣ包装用具であって、前記アンテナが、物品を包み込んで包装するための包装用紙の包装用基材の表面に、導伝性インクにより印刷されて配線されて、前記ＩＣチップが、粘着層を有する貼付用ラベルにより挟み込まれて前記包装用基材の一部に添付され、前記アンテナの端子と、前記ＩＣチップの端子とで接続されていることを特徴とする。
【０００７】
【発明の実施の形態】
以下、本発明の実施の形態を図面に基づいて詳細に説明する。
図１は、本発明の非接触式ＩＣ包装用具の第１の実施形態に係り、本発明の非接触式ＩＣ包装用具を用いて包装がされた物品の全体を示す斜視図、図２は、本発明の非接触式ＩＣ包装用具の第１の実施形態の平面図、図３は、図２のＡ−Ａ線断面図、図４は、本発明の第１の実施形態における応答回路の一例を示す図、図５は、図１の包装された物品の包装用紙の一部を破り取った状態を示す斜視図、図６は、本発明の非接触式ＩＣ包装用具の第２の実施形態に係り、本発明の非接触式ＩＣ包装用具を用いた包装用箱の全体を示す斜視図、図７は、本発明の第２の実施形態に係る包装用箱の断面図である。
【０００８】
本発明の第１の実施形態は、物品を包装する包装紙からなる包装用基材に、非接触方式でデータを送信するためのアンテナが設けられ、この包装用基材の一部に前記アンテナと接続された状態で情報記憶部を有するＩＣチップが備えられて構成されている。
図２乃至図３に示すように、包装用基材である包装用紙１の表面の所定部には、アンテナ２を形成するコイルが導伝性インキを用いてシルクスクリーン印刷により設けられている。
【０００９】
このコイルに使用する導伝性インキは、金属素子を含有したポリエステル樹脂をバインダー成分とする導伝性ペーストからなる。
具体的には、導電性金属として、銀粒子または銀粉を８０％含有したポリエステル樹脂をバインダー成分（結合剤の主成分）とする導伝性ペーストを導伝性インキとして使用し、スクリーン印刷により配線を厚さ１０μｍ程度で形成する。
また、コイルの配線が交差する部分には、アクリル樹脂を主成分とするＵＶ硬化型（紫外線硬化型）樹脂を使用して、スクリーン印刷した後に紫外線照射により硬化させて絶縁層３を形成することで、交差する導伝性インキが接触しないように構成する。
【００１０】
そして、アンテナ２の各々の接続端子４ａ，４ｂは、ＩＣチップ５の各々の接続端子６ａ，６ｂに接続され、粘着層７を有する貼付用ラベル８により、包装紙１上の所定位置にＩＣチップ５を貼り付けることで、包装用紙１の表面上にＩＣチップ５を添付させる。
その他の方法としては、あらかじめＩＣチップを２枚のラベル用紙内に挟み込んで構成した貼付用ラベルを、アンテナ２の接続端子４ａ，４ｂとＩＣチップ５の接続端子６ａ，６ｂとを接続させ、包装用紙の所定位置にＩＣチップを備えるようにしてもよい。
【００１１】
ＩＣチップ５には、図４に示すように、発振回路９、変調回路１０、情報記憶部であるメモリ回路１１、制御回路１２、質問信号の検出回路１３、電源回路１４、が組み込まれており、ＩＣチップ５の接続端子６ａ，６ｂにアンテナ２が接続されている。
更に、検出回路１３の出力は電源回路１４及び制御回路１２に入力される。
また、発振回路９の出力及びメモリ回路１１の出力は変調回路１０に入力され、変調回路１０の出力はＩＣチップ５の接続端子６ａ，６ｂを通してアンテナ２に入力され、また情報記憶部であるメモリ回路１１及び変調回路１０は、制御回路１２により制御可能に接続されている。
【００１２】
図１には、包装用紙１を用いて商品等の物品が包まれた状態が示されているが、通常の包装用紙と同様に物品を包み、粘着テープや糊などで包装用紙の隅部などを接着させる。
ＩＣチップ５が添付され、アンテナ２が設けられた包装用紙１で包まれた物品は、外部装置との間で非接触により情報の送信を行うことができる非接触識別システムの媒体として使用することができる。
【００１３】
これらの非接触識別システムは、従来より公知のシステムを用いればよく、その一例として、外部装置（図示せず）に備えられたアンテナから質問信号電波を発信しておき、この電波の検出範囲内に物品が入り、その物品の包装用紙１のアンテナ２がこの質問信号電波を受信することで、ＩＣチップ５のメモリ回路１１のメモリに記憶されたＩＤコード等の識別情報を応答信号としてアンテナ２から返信し、これを外部装置に備えられたアンテナが受信する。
そして、この外部装置に備えられたアンテナが受信した識別情報を、更にコンピュータの識別システムに使用するなどして、その包装用紙１で包まれた物品の真偽判定を行うことができるものである。
【００１４】
そして、従来より使用されている非接触式ＩＣタグの多くは、ＩＣチップとアンテナを有するラベルやシール状の形態として、これらを物品に添付させたり、また、ＩＣチップとアンテナを有する小型の媒体を物品に紐などで添付させているので簡単に再使用することが可能であるが、本発明の非接触式ＩＣ包装用具では、物品を取出す際に図５に示すように包装用紙１を破くと、包装用紙１の表面の所定部にシルクスクリーン印刷により導伝性インキで形成されたアンテナ２が断線されるため、海賊版などの偽物の包装用紙として再使用をすることができなくなる。
【００１５】
更に、包装用紙１に導伝性インキでアンテナ２が設けられていることを知らずに、貼付用ラベル８とＩＣチップ５を他の物品に付け替えて再使用しようとしても、アンテナ２が無いので使用できない状態となり再使用が不可能となり、不正行為を防止することができる。
【００１６】
また、包装用紙１の表面の所定部には、特にアンテナ２を形成する導伝性インキと同色のインキにより所望の絵柄模様などの印刷を施すことが好ましい。
これにより、包装用紙１の表面にアンテナ２が形成されていることを、絵柄模様などの印刷でカムフラージュでき、簡単に第三者に対してアンテナ２が形成されていることを気づかれないようにでき、これによりもしも不正行為が行われたとしても包装用紙１の表面にアンテナ２の形成していない包装用紙にＩＣチップ５と貼付用ラベル８とを添付することとなり、偽造品としては不完全なものしか作成することができない。
【００１７】
次に、本発明の第２の実施形態を図６及び図７に基づいて説明する。
本発明の第２の実施形態では、物品を包装する包装用箱１６の表面に、非接触方式でデータを送信するためのアンテナ１７が設けられ、この包装用箱１６の一部に前記アンテナ１７と接続された状態で情報記憶部を有するＩＣチップ１８が備えられて構成されている。
そして、包装用箱１６の表面の所定部には、アンテナ１７であるコイルが導伝性インキを用いて、シルクスクリーン印刷により形成されている。
【００１８】
そして、アンテナ１７の接続端子１９ａ，１９ｂは、ＩＣチップ１８の接続端子２０ａ，２０ｂに接続され、粘着層２１を有する貼付用ラベル２２により、包装用箱１６上の所定位置にＩＣチップ１８を貼り付けた状態で包装用箱１６に添付されている。
【００１９】
本発明の第２の実施形態においては、包装用箱１６の内部に商品などの物品を入れた後に、包装用箱１６の表面に配送先の住所や氏名を記入したり、または配送伝票を貼付することが行われているので、一度使用した包装用箱１６を再使用しようとしても再使用であることがわかる。
更に、貼付用ラベル２２で添付したＩＣチップ１８を他の包装用箱に貼り替えても、アンテナがないので外部装置に備えられたアンテナからの送信電波を受信することができず、その包装用箱が偽物であることがわかるものである。
【００２０】
また、包装用箱１６の表面の所定部には、特にアンテナ１７を形成する導伝性インキと同色のインキにより所望の絵柄模様などの印刷を施すことが好ましい。
これにより、包装用箱１６の表面にアンテナ１７が形成されていることを、絵柄模様などの印刷でカムフラージュでき、簡単に第三者に対してアンテナ１７が形成されていることを気づかれないようにでき、これによりもしも不正行為が行われたとしても包装用箱１６の表面にアンテナ１７の形成していない包装用箱にＩＣチップ１８と貼付用ラベル２２とを添付することとなり、偽造品としては不完全なものしか作成することができない。
【００２１】
【発明の効果】
以上説明したように、本発明の非接触式ＩＣ包装用具は、包装された物品が一時的に不正に開けられた場合でも簡単に開けられたことを確認することができ、更に本物の商品に添付された非接触式ＩＣ包装用具を他の物品等に転用して、不正に偽物等に再使用しようとしてもアンテナの配線が断線するため使用することが不可能となり、不正使用を防止する効果がある。
【００２２】
また、アンテナを、包装用基材に導伝性インクで印刷しコイルを形成することで、包装用基材が通常の包装用具と同様に破れやすく形成することができ、包装状態の物品から包装用紙などを取り去る際にアンテナが断線されやすく、また包装用基材の表面に印刷された絵柄と、導伝性インクの色とが混在してアンテナの存在を目立たなくさせることができる。更に、包装用基材を包装用紙とすることで、様々な物品に広く用いることができる。
【図面の簡単な説明】
【図１】本発明の非接触式ＩＣ包装用具の第１の実施形態に係り、本発明の非接触式ＩＣ包装用具を用いて包装がされた物品の全体を示す斜視図である。
【図２】本発明の非接触式ＩＣ包装用具の第１の実施形態の平面図である。
【図３】図２のＡ−Ａ線断面図である。
【図４】本発明の第１の実施形態における応答回路の一例を示す図である。
【図５】図１の包装された物品の包装用紙の一部を破り取った状態を示す斜視図である。
【図６】本発明の非接触式ＩＣ包装用具の第２の実施形態に係り、本発明の非接触式ＩＣ包装用具を用いた包装用箱の全体を示す斜視図である。
【図７】本発明の第２の実施形態に係る包装用箱の断面図である。
【符号の説明】
１  包装用紙
２，１７  アンテナ
３  絶縁層
４ａ，４ｂ，１９ａ，１９ｂ  アンテナの接続端子
５  ＩＣチップ
６ａ，６ｂ，２０ａ，２０ｂ  ＩＣチップの接続端子
７，２１  粘着層
８  貼付用ラベル
９  発振回路
１０  変調回路
１１  メモリ回路
１２  制御回路
１３  質問信号の検出回路
１４  電源回路
１５  物品
１６  包装用箱
１８  ＩＣチップ
２２  貼付用ラベル
【図１】
0004459430.tif 000002
【図２】
0004459430.tif 000003
【図３】
0004459430.tif 000004
【図４】
0004459430.tif 000005
【図５】
0004459430.tif 000006
【図６】
0004459430.tif 000007
【図７】
0004459430.tif 000008